(57)【要約】      （修正有）【課題】緊急時と防災訓練時にのみ必要な指定箇所表面汚染検査装置をコンパクトに収納・保管できると共に、使用時には短時間で容易にセッティングでき、安価に供給して、迅速な検査が可能な指定箇所表面汚染検査装置を提供する。【解決手段】指定箇所表面汚染検査装置１０は、頭部用、顔面用、手の甲用、手の平用、靴底用を含む複数の平面状放射線検出器（１２、１４、１６、１８、２０）を有し、頭部用平面状放射線検出器１２、顔面用平面状放射線検出器１４、手の甲用平面状放射線検出器１６及び手の平用平面状放射線検出器１８が、それぞれの検出面１２Ａ、１４Ａ、１６Ａ、１８Ａを内側にして、Ｗ字状で互いに折畳み可能、且つ、角度調整可能にヒンジにより連結され、検出面２０Ａを上側とする靴底用平面状放射線検出器２０が別体とされている。【選択図】図１
0003219267.tif 000002
【実用新案登録請求の範囲】
【請求項１】
頭部用、顔面用、手の甲用、手の平用、靴底用を含む複数の平面状放射線検出器を有し、
少なくとも一部の平面状放射線検出器が互いに折畳み可能、且つ、角度調整可能に連結されていることを特徴とする指定箇所表面汚染検査装置。
【請求項２】
前記頭部用、前記顔面用、前記手の甲用、前記手の平用の平面状放射線検出器が互いに折畳み可能、且つ、角度調整可能に連結され、前記靴底用の平面状放射線検出器が別体とされていることを特徴とする請求項１に記載の指定箇所表面汚染検査装置。
【請求項３】
前記頭部用と顔面用の平面状放射線検出器が互いに折畳み可能、且つ、角度調整可能に連結され、前記手の甲用と手の平用の平面状放射線検出器が互いに折畳み可能、且つ、角度調整可能に連結され、更に、前記靴底用の平面状放射線検出器が別体とされていることを特徴とする請求項１に記載の指定箇所表面汚染検査装置。
【請求項４】
前記互いに折畳み可能に連結された頭部用と顔面用の平面状放射線検出器、及び、前記互いに折畳み可能に連結された手の甲用と手の平用の平面状放射線検出器を机上に配設するための、折畳み可能、且つ、角度調整可能なフリーテーブルを更に備えたことを特徴とする請求項３に記載の指定箇所表面汚染検査装置。
【請求項５】
前記靴底用の平面状放射線検出器を底部に配設可能な収納ケースを更に備えたことを特徴とする請求項１乃至４のいずれかに記載の指定箇所表面汚染検査装置。
【考案の詳細な説明】
【技術分野】
【０００１】
本考案は、指定箇所表面汚染検査装置に係り、特に、放射線事故等による避難退域時や、その防災訓練時に多数の住民の指定箇所（（１）頭部、顔面、（２）手指及び掌、（３）靴底）を検査する際に用いるのに好適な、コンパクトに収納・保管できると共に、使用時には短時間で容易にセッティングでき、安価に供給して、迅速な検査が可能な指定箇所表面汚染検査装置に関する。
【背景技術】
【０００２】
放射線事故等の避難退域時や、その防災訓練時には、放射線物質が付着している可能性が高い指定箇所である（１）頭部、顔面、（２）手指及び掌、（３）靴底を検査する必要がある。そこで従来は、例えばＧＭサーベイメータ等により手作業で住民の（１）頭部、顔面、（２）手指及び掌、（３）靴底を検査していた。
【０００３】
一方、例えば原子力発電所等から出る時に用いられる、昇降式の頭部検出器と挿入式の手部検出器を備えた全身汚染検査装置や、特許文献１に記載されたような、運搬、組立設置が行える分割方式の簡易型体表面汚染モニタが提案されている。
【０００４】
又、原子力施設の汚染区域や小規模ＲＩ施設の手・足・衣類汚染検査装置として、特許文献２〜４に記載されたような、いわゆるハンドフットクロスモニタや、ベースフレームに固定された顔検出器と手検出器により顔面と手を検査するフェイスハンドモニタも提案されている。
【先行技術文献】
【特許文献】
【０００５】
【特許文献１】特開２００１−２２８２５０号公報
【特許文献２】国際公開ＷＯ２０１１／００４８８３号公報
【特許文献３】国際公開ＷＯ２０１２／０５３０８８号公報
【特許文献４】特開２０１７−２０８６５号公報
【考案の概要】
【考案が解決しようとする課題】
【０００６】
前記のような全身汚染検査装置や簡易型体表面汚染モニタを住民の全身検査に用いることも考えられるが、立った状態で測る必要があるため、頭部検出器を昇降させて大人から子供までの身長差をカバーする必要があり、セッティングに時間がかかる。又、前者は持ち運びができず、後者は収納・保管が容易な分割式であるが、組み立てに時間を要する。
【０００７】
又、ハンドフットクロスモニタでは、指定箇所の（１）頭部及び顔面を検査することができず、フェイスハンドモニタでは、指定箇所の（１）頭部及び（３）靴底を検査することができない等の問題点を有していた。
【０００８】
本考案は、前記従来の問題点を解消するべくなされたもので、コンパクトに収納・保管できると共に、使用時には短時間で容易にセッティングでき、安価に供給して、迅速な検査が可能な指定箇所表面汚染検査装置を提供することを課題とする。
【課題を解決するための手段】
【０００９】
本考案は、頭部用、顔面用、手の甲用、手の平用、靴底用を含む複数の平面状放射線検出器を有し、少なくとも一部の平面状放射線検出器が互いに折畳み可能、且つ、角度調整可能に連結されている指定箇所表面汚染検査装置により、上記課題を解決したものである。
【００１０】
ここで、前記頭部用、前記顔面用、前記手の甲用、前記手の平用の平面状放射線検出器を互いに折畳み可能、且つ、角度調整可能に連結し、前記靴底用の平面状放射線検出器を別体とすることができる。
【００１１】
又、前記頭部用と顔面用の平面状放射線検出器を互いに折畳み可能、且つ、角度調整可能に連結し、前記手の甲用と手の平用の平面状放射線検出器を互いに折畳み可能、且つ、角度調整可能に連結し、更に、前記靴底用の平面状放射線検出器を別体とすることができる。
【００１２】
又、前記互いに折畳み可能に連結された頭部用と顔面用の平面状放射線検出器、及び、前記互いに折畳み可能に連結された手の甲用と手の平用の平面状放射線検出器を机上に配設するための、折畳み可能、且つ、角度調整可能なフリーテーブルを更に備えることができる。
【００１３】
又、前記靴底用の平面状放射線検出器を底部に配設可能な収納ケースを更に備えることができる。
【考案の効果】
【００１４】
本考案によれば、折り畳むことによって指定箇所表面汚染検査装置をコンパクトに収納でき、通常の非使用時の保管スペースを節約できる。又、使用時には自治体等の検査機関が保有する一般的なテーブルや椅子を併用することによって、テーブル上とテーブルの下に各検出器を短時間で容易にセッティングすることができる。又、一部の検出器は連結されており、体形に合わせてフレキシブルに角度を変えることができ、車椅子の使用者も検査できる。又、従来の大掛かりな全身表面検査装置やハンドフットクロスモニタ等に比べて安価に供給できるので、台数を増やして多数の住民の検査効率を向上することができる。更に、昇降テーブルを使用すれば、幼児が立ったままで検査することも可能である。又、支柱に取り付けて簡易体表面モニタとして使用することも可能である。
【図面の簡単な説明】
【００１５】
【図１】本考案の第１実施形態の全体構成を示す斜視図
【図２】第１実施形態を用いて大人を検査している状態を示す側面図
【図３】同じく子供を検査している状態を示す側面図
【図４】同じく幼児を検査している状態を示す側面図
【図５】同じく簡易体表面モニタとして使用している状態を示す側面図
【図６】同じく非使用時の保管状態を示す分解斜視図
【図７】本考案の第２実施形態の全体構成及び使用状態を示す分解斜視図
【図８】同じく収納ケースへの収納状態を示す断面図
【考案を実施するための形態】
【００１６】
以下、図面を参照して、本考案の実施の形態について詳細に説明する。なお、本考案は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００１７】
本考案に係る指定箇所表面汚染検査装置（単に検査装置とも称する）１０の第１実施形態は、図１に示す如く、検出面１２Ａを有する頭部用の平面状放射線検出器（以下、頭部用検出器と称する）１２と、検出面１４Ａを有する顔面用の平面状放射線検出器（以下、顔面用検出器と称する）１４と、検出面１６Ａを有する手の甲用の平面状放射線検出器（以下、手の甲用検出器と称する）１６と、検出面１８Ａを有する手の平用の平面状放射線検出器（以下、手の平用検出器と称する）１８と、検出面２０Ａを有する靴底用の平面状放射線検出器（以下、靴底用検出器と称する）２０とを備え、前記頭部用検出器１２、顔面用検出器１４、手の甲用検出器１６及び手の平用検出器１８が、ヒンジ２２、２４、２６によりそれぞれ互いに折畳み可能、且つ、角度調整可能に連結されている。
【００１８】
第１実施形態により、大人８を検査している状態を図２に示す。自治体等の検査機関が保有するテーブル３０及び椅子３２を使用し、互いに連結された頭部用検出器１２、顔面用検出器１４、手の甲用検出器１６、手の平用検出器１８をテーブル３０の上に置き、ヒンジ２２、２４、２６の角度を体形に合わせて変えることにより、迅速にセッティングできる。又、靴底用検出器２０は、テーブル３０の下の床面に置くことにより、容易にセッティングできる。
【００１９】
次に、子供６を検査している状態を図３に示す。子供６の場合には、テーブル３０の下に踏み台３４を置き、その上に靴底用検出器２０を置くことによって容易に対応できる。又、子供６の体形に合わせて頭部用検出器１２、顔面用検出器１４、手の甲用検出器１６及び手の平用検出器１８の角度を容易に調整できる。
【００２０】
又、図４に示す如く、例えば電動昇降テーブル３６を使用することによって、幼児４が立ったままで検査することも可能である。この場合にも、幼児４の体形に合わせて頭部用検出器１２、顔面用検出器１４、手の甲用検出器１６及び手の平用検出器１８の角度を容易に調整できる。
【００２１】
図において、３７は電動昇降テーブル３６のコントローラである。なお、昇降テーブルは電動でなく手動であってもよい。
【００２２】
更に、図５に示すように、頭部用検出器１２、顔面用検出器１４、手の甲用検出器１６及び手の平用検出器１８を支柱３８に取り付けて直線状とすることにより、例えば幼児４の簡易体表面モニタとして使用することも可能である。
【００２３】
本実施形態における非使用時の保管状態を図６に示す。収納ケース６０の底部に靴底用検出器２０を配設し、手前正面の蓋６２に例えば「足をのせて下さい」の表示をして、蓋６２を矢印Ａのように手前に開くことにより迅速に検査可能とすることができる。又、頭部用検出器１２、顔面用検出器１４、手の甲用検出器１６及び手の平用検出器１８は、折り畳んだ状態で靴底用検出器２０の上に収納することができる。更に、その上にノートＰＣ又はタブレットＰＣ５０や計測ユニット（図示省略）を収納して蓋（図示省略）を被せることにより、コンパクトに収納・保管が可能となる。図において、２８は信号ケーブル接続用のコネクタ、６４は把手である。
【００２４】
次に本考案の第２実施形態について説明する。この第２実施形態に係る指定箇所表面汚染検査装置１０は、図７に示す如く、頭部用検出器１２と顔面用検出器１４をヒンジ２２で連結し、これとは別体とした手の甲用検出器１６と手の平用検出器１８をヒンジ２６で連結し、これらを、角度調整可能なフリーテーブル７０によりテーブル３０上に置くようにしたものである。
【００２５】
前記フリーテーブル７０は、テーブル板７２の両側に固定された左右一対のリンク７４と、該リンク７４に配設されたボタン７６を有し、該ボタン７６を押しながら角度調整して指を離すと角度が固定されるようになっている。
【００２６】
本実施形態においては、頭部用検出器１２及び顔面用検出器１４と、手の甲用検出器１６及び手の平用検出器１８とが別体とされているので、住民の体形の違いに対する適用が容易である。
【００２７】
収納ケース６０に配設された靴底用検出器２０がテーブル３０の下に配置される点は、第１実施形態と同じである。
【００２８】
この第２実施形態における収納ケース６０への収納状態を図８に示す。例えば、手の甲用検出器１６及び手の平用検出器１８と、頭部用検出器１２及び顔面用検出器１４の間にフリーテーブル７０を収納し、頭部用検出器１２の上に計測ユニット５２とノートＰＣ又はタブレットＰＣ５０を収納することができる。図において、６６は収納ケース６０の蓋である。
【００２９】
本実施形態においても、緊急時と防災訓練時にのみ必要な指定箇所表面汚染検査装置１０をコンパクトに収納して保管することが可能である。
【符号の説明】
【００３０】
４…幼児
６…子供
８…大人
１０…指定箇所表面汚染検査装置
１２…頭部用（平面状放射線）検出器
１４…顔面用（平面状放射線）検出器
１６…手の甲用（平面状放射線）検出器
１８…手の平用（平面状放射線）検出器
２０…靴底用（平面状放射線）検出器
２２、２４、２６…ヒンジ
３０…テーブル
３２…椅子
３４…踏み台
３６…電動昇降テーブル
３８…支柱
５０…ノートＰＣ又はタブレットＰＣ
５２…計測ユニット
６０…収納ケース
【図１】
0003219267.tif 000003
【図２】
0003219267.tif 000004
【図３】
0003219267.tif 000005
【図４】
0003219267.tif 000006
【図５】
0003219267.tif 000007
【図６】
0003219267.tif 000008
【図７】
0003219267.tif 000009
【図８】
0003219267.tif 000010
【手続補正書】
【提出日】平成30年10月18日(2018.10.18)
【手続補正１】
【補正対象書類名】実用新案登録請求の範囲
【補正対象項目名】全文
【補正方法】変更
【補正の内容】
【実用新案登録請求の範囲】
【請求項１】
頭部用、顔面用、手の甲用、手の平用、靴底用を含む複数の平面状放射線検出器を有し、 頭部用平面状放射線検出器、顔面用平面状放射線検出器、手の甲用平面状放射線検出器及び手の平用平面状放射線検出器が、それぞれの検出面を内側にして、Ｗ字状で互いに折畳み可能、且つ、角度調整可能にヒンジにより連結され、 検出面を上側とする靴底用平面状放射線検出器が別体とされていることを特徴とする指定箇所表面汚染検査装置。
【請求項２】
前記頭部用平面状放射線検出器と顔面用平面状放射線検出器、及び、前記手の甲用平面状放射線検出器と手の平用平面状放射線検出器が、分離可能とされていることを特徴とする請求項１に記載の指定箇所表面汚染検査装置。
【請求項３】
分離された前記頭部用平面状放射線検出器と顔面用平面状放射線検出器、及び、前記手の甲用平面状放射線検出器と手の平用平面状放射線検出器を机上に配設するための、折畳み可能、且つ、角度調整可能なフリーテーブルを更に備えたことを特徴とする請求項２に記載の指定箇所表面汚染検査装置。
【請求項４】
前記靴底用平面状放射線検出器を底部に配設可能な収納ケースを更に備えたことを特徴とする請求項１乃至３のいずれかに記載の指定箇所表面汚染検査装置。
【手続補正２】
【補正対象書類名】明細書
【補正対象項目名】０００９
【補正方法】変更
【補正の内容】
【０００９】  本考案は、頭部用、顔面用、手の甲用、手の平用、靴底用を含む複数の平面状放射線検出器を有し、頭部用平面状放射線検出器、顔面用平面状放射線検出器、手の甲用平面状放射線検出器及び手の平用平面状放射線検出器が、それぞれの検出面を内側にして、Ｗ字状で互いに折畳み可能、且つ、角度調整可能にヒンジにより連結され、検出面を上側とする靴底用平面状放射線検出器が別体とされている指定箇所表面汚染検査装置により、上記課題を解決したものである。
【手続補正３】
【補正対象書類名】明細書
【補正対象項目名】００１０
【補正方法】変更
【補正の内容】
【００１０】  ここで、前記頭部用平面状放射線検出器と顔面用平面状放射線検出器、及び、前記手の甲用平面状放射線検出器と手の平用平面状放射線検出器を、分離可能とすることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】  又、分離された前記頭部用平面状放射線検出器と顔面用平面状放射線検出器、及び、前記手の甲用平面状放射線検出器と手の平用平面状放射線検出器を机上に配設するための、折畳み可能、且つ、角度調整可能なフリーテーブルを更に備えることができる。
【手続補正６】
【補正対象書類名】明細書
【補正対象項目名】００１３
【補正方法】変更
【補正の内容】
【００１３】  又、前記靴底用平面状放射線検出器を底部に配設可能な収納ケースを更に備えることができる。